(57)【要約】      （修正有）【課題】装置全体を大型化せずにラベル発行機能を搭載することができる会計処理装置を提供する。【解決手段】レシートを発行する会計処理装置に、感熱印刷面の他方の面に感熱性粘着剤層から成る感熱粘着面がそれぞれ形成されてなる感熱性粘着シート（Ｌ）の感熱印刷面に当接、加熱して印刷を行う印刷用サーマルヘッド３０１と、感熱粘着面に当接、加熱して熱活性粘着化させるための熱活性用サーマルヘッド５０１と、感熱性粘着シートを切断するカッター装置（カッターユニット４００）と、感熱性粘着シートを搬送する搬送手段（シート搬送モータＭ１，Ｍ２等）と、制御手段を備えるサーマルプリンタ装置（Ｐ１）で、表面に会計結果を印刷し、裏面の少なくとも一部に粘着力を発現させて発行可能にした。【選択図】図３
2005128725.tif 000002
【特許請求の範囲】
【請求項１】
一方の面に感熱性発色剤層から成る感熱印刷面が、他方の面に感熱性粘着剤層から成る感熱粘着面がそれぞれ形成されてなる感熱性粘着シートの前記感熱印刷面に当接、加熱して印刷を行う印刷用サーマルヘッドと、前記感熱粘着面に当接、加熱して熱活性粘着化させるための熱活性用サーマルヘッドと、前記感熱性粘着シートを切断するカッター装置と、前記感熱性粘着シートを搬送する搬送手段と、前記印刷用サーマルヘッド，前記熱活性用サーマルヘッドおよび前記カッター装置を制御する制御手段と、を少なくとも備えるサーマルプリンタ装置を有し、顧客に販売した商品に関する会計処理を行い、その会計結果を前記サーマルプリンタ装置により前記感熱性粘着シートの感熱印刷面に印刷出力すると共に、感熱粘着面の少なくとも一部を熱活性粘着化可能に構成されていることを特徴とする会計処理装置。
【請求項２】
前記サーマルプリンタ装置の前記制御手段は、
前記印刷用サーマルヘッドの作動タイミングを制御する１または２以上の印刷フォーマットと、前記熱活性用サーマルヘッドの作動タイミングを制御する１または２以上の熱活性フォーマットの中から所望のフォーマットを選択して印刷処理および熱活性粘着化処理を行うことを特徴とする請求項１に記載の会計処理装置。
【請求項３】
前記制御手段によって選択された前記印刷フォーマットおよび前記熱活性フォーマットに基づいた印刷レイアウトおよび熱活性レイアウトを発行前に表示する表示手段をさらに備えていることを特徴とする請求項２に記載の会計処理装置。
【請求項４】
前記表示手段は、前記会計処理の結果を表示させる表示手段と兼用することを特徴とする請求項３に記載の会計処理装置。
【発明の詳細な説明】
【技術分野】
【０００１】
本発明は、顧客に販売した商品に関する会計処理を行い、感熱性のシートに印刷出力するＰＯＳ端末装置や電子式キャッシュレジスタ装置等の会計処理装置に係り、特に貼付可能なレシートやラベルを発行可能なプリンタ装置を内蔵するものに関する。
【背景技術】
【０００２】
コンビニエンスストアをはじめとする小売店や、スーパー，デパート等の大規模店あるいはクリーニング店などの各種サービス業の店舗において、会計処理装置としてＰＯＳ（Point Of Sales）端末装置や電子式キャッシュレジスタ装置の導入が進んでいる。
ＰＯＳ端末装置は、金額表示用の表示装置、商品に貼付されたバーコードから商品種別や価格等の情報を読み取るバーコードリーダ、会計結果をレシートおよび業務用の控え（ジャーナル）に印刷する印刷手段、金額や数量等を入力するキーボード等を備えて構成され、さらにネットワークを介してホストコンピュータに接続できるように構成されている。
【０００３】
このようなＰＯＳ端末装置では、顧客が購入希望の商品をレジに持参すると、店員は、商品に添付されたタグに印刷されているバーコードをバーコードリーダで読み取る。これにより、内蔵コンピュータが読み取られたコードから内蔵メモリに記憶されている価格データを参照して販売した全商品の合計金額の計算や釣銭額の計算処理を行い、会計結果が液晶ディスプレイ等の表示装置に表示されると共に、購入商品名、商品の価格、個数や釣銭額等がレシートおよびジャーナルに印刷されて出力される。
【０００４】
さらに、ＰＯＳ端末装置がホストコンピュータに接続されている場合には、ホストコンピュータから商品や単価等の登録を行うことができ、また、各商品毎の月別販売数量の集計や仕入れ金額の集計等を行うことができ、店舗における商品管理を効率良く行うことが可能になる。
【０００５】
なお、電子式キャッシュレジスタ装置は、上記ＰＯＳ端末装置から商品管理機能（ＰＯＳ機能）を省略したものと捉えることができる。  
【０００６】
上記のＰＯＳ端末装置や電子式キャッシュレジスタ装置の印刷手段としては、感熱式プリンタ装置（サーマルプリンタ装置）が採用されることが多い。
【０００７】
サーマルプリンタ装置は、インクジェット式やレーザー式のプリンタに比べて、小型化が可能なためＰＯＳ端末装置や電子式キャッシュレジスタ装置の小型化に有利であり、またインクの補充が不要でメンテナンスが容易である等のメリットを有している。
【０００８】
このようなサーマルプリンタ装置を搭載したＰＯＳ端末装置としては、下記特許文献に掲げるものなどがある
【特許文献１】特開平１０−１６２２４９号公報
【発明の開示】
【発明が解決しようとする課題】
【０００９】
ところで、昨今の電子機器の多機能化に対応して、ＰＯＳ端末装置や電子式キャッシュレジスタ装置にも会計処理機能やレシートおよびジャーナルの印刷出力機能以外の付加機能の追加が望まれている。
【００１０】
このようなＰＯＳ端末装置や電子式キャッシュレジスタ装置への付加機能の一つとして、例えば商品等に簡単に貼付することのできるラベルを適時に印刷して発行することのできるラベル発行機能がある。  
【００１１】
しかしながら、従来におけるラベル発行装置は、内蔵すると装置全体が大型化したり或いは取り扱いが煩雑となることが想定され、そのままＰＯＳ端末装置や電子式キャッシュレジスタ装置等に適用することが難しいという問題があった。
【００１２】
即ち、従来のラベル発行装置は、剥離シート（ライナー）を有する専用のラベル紙を用いる構成となっているため通常のレシートやジャーナル発行用のプリンタを適用することができず、別途ラベル発行専用のプリンタを実装する必要があり、ＰＯＳ端末装置や電子式キャッシュレジスタ装置が大型化してしまう難点があった。
【００１３】
また、レシートやジャーナル発行用のプリンタ装置の印刷機構や搬送機構を改造して、剥離シートを有するラベル紙を使用可能とした場合であっても、レシートやジャーナルを発行する場合と、ラベルを発行する場合とで、印刷用紙を入れ換える必要があり、交換作業が煩雑で実用性に欠けるという問題もあった。
【００１４】
さらに、ラベルの種類や用途によっては、裏面（印刷面の反対側の面）の所定位置のみに粘着性を持たせたレシート等を発行したいという要望もあるが、上述のような構成では、たとえ剥離シートを有する通常のラベル紙を用いてレシートを発行したとしても、裏側の全体が粘着面となるものしか発行できず、所定位置のみに粘着性を持たせたレシートを任意に発行することはできないという問題もあった。
【００１５】
この発明は、上記問題点を解決すべく案出されたものであり、装置全体を大型化せずにラベル発行機能を搭載することができると共に、印刷用紙を入れ換える手間を省くことができ、しかも所定位置のみに粘着性を持たせたレシート等を任意に発行することができるＰＯＳ端末装置や電子式キャッシュレジスタ装置などの会計処理装置を提供することを目的とする。
【課題を解決するための手段】
【００１６】
前記目的を達成するために、本発明は、顧客に販売した商品に関する会計処理を行い、その会計結果を印刷手段により印刷したレシートを発行し、出力する会計処理装置に、印刷手段として、印刷媒体を構成するシート状基材の一方の面に感熱性発色剤層から成る感熱印刷面が、他方の面に感熱性粘着剤層から成る感熱粘着面がそれぞれ形成されてなる感熱性粘着シート（Ｌ）の前記感熱印刷面に当接、加熱して印刷を行う印刷用サーマルヘッド（３０１）と、前記感熱粘着面に当接、加熱して熱活性粘着化させるための熱活性用サーマルヘッド（５０１）と、前記感熱性粘着シートを切断するカッター装置（カッターユニット４００）と、前記感熱性粘着シートを搬送する搬送手段（シート搬送モータＭ１，Ｍ２等）と、前記印刷用サーマルヘッド，前記熱活性用サーマルヘッドおよび前記カッター装置を制御する制御手段（ＣＰＵ１０００、データ格納メモリ１００３等）とを少なくとも備えるサーマルプリンタ装置（Ｐ１）を設け、感熱印刷面に会計結果を印刷し、感熱粘着面の少なくとも一部に粘着力を発現させて発行可能にしたものである。
【００１７】
また、前記サーマルプリンタ装置の前記制御手段は、前記印刷用サーマルヘッドの作動タイミングを制御する１または２以上の印刷フォーマットと、前記熱活性用サーマルヘッドの作動タイミングを制御する１または２以上の熱活性フォーマットの中から所望のフォーマットを選択して印刷処理および熱活性化処理を行うようにするとよい。
【００１８】
また、前記選択手段によって指定された前記印刷フォーマットおよび前記熱活性フォーマットに基づいた印刷レイアウトおよび熱活性レイアウトを表示する表示手段をさらに備えるようにすることが望ましい。
【００１９】
また、前記表示手段は、前記会計処理の結果を表示させる表示手段と兼用するとよい。
【発明の効果】
【００２０】
本発明によれば、表面に会計結果が印刷され、裏面に粘着力が発現されたレシートは勿論、表面に広告が印刷され、裏面に粘着力を有する広告用ラベル等として発行することが可能となる。
また、感熱性粘着シートと熱活性用サーマルヘッドを備えたサーマルプリンタ装置は、通常の感熱式のプリンタ装置と殆ど体積が変わらないので、会計処理装置を大型化することなく粘着性を有するレシートやラベル発行することができる。
【００２１】
また、本発明によれば、印刷フォーマットおよび熱活性フォーマットを選択して組み合わせるだけで、上記通常のレシートや粘着力を発現させたレシートあるいは広告用ラベル等を簡便に発行することができる。
【００２２】
また、粘着性のない通常のレシートを発行する際と、粘着力を発現させたレシートや広告用ラベル等を発行する際とで印刷用紙を入れ換える必要がなく、１種類の感熱性粘着シートを兼用することができるので、各種店舗における従業員の作業負担を軽減して利便性を高めることができる。
【００２３】
また、本発明によれば、発行しようとする通常のレシートや粘着力を発現させたレシートあるいは広告用ラベル等の仕様（レイアウト）を視覚的に確認することができ、必要とするラベルを確実に発行することができる。
【００２４】
また、本発明によれば、前記表示手段は、前記会計処理の結果を表示させる表示手段と兼用するようにしたので、会計処理装置を大型化、高コスト化させることなく、レイアウトを確認するための表示機能を付加することができる。
【発明を実施するための最良の形態】
【００２５】
以下、本発明の好適な実施形態を図面に基づいて説明する。
【００２６】
図１は実施形態に係るＰＯＳ端末装置の外観を示す斜視図、図２はＰＯＳ端末装置に搭載されるサーマルプリンタ装置の概略構成を示す構成図、図３はそのサーマルプリンタ装置の制御ブロック図である。
【００２７】
図１において、ＰＯＳ端末装置Ａは、筐体１内に、金銭等をトレーに収納した引き出し可能なドロア（金銭格納部）２が設けられている。
【００２８】
筐体１の上面側には、金額等を入力する数値キーや商品の選択キー、その他のモード選択キー等を配列したキーボード３が配設され、その上方には店舗の販売員に対して商品金額や数、会計結果等を表示させる表示装置４が配設されている。
【００２９】
また、キーボード３に隣接して、通常のレシートや裏側の全面または一部に粘着力を生じさせた特殊用途のレシート１００あるいは広告用ラベル等を発行するサーマルプリンタ装置Ｐ１およびジャーナル（図示せず）を印刷出力するジャーナル出力用サーマルプリンタＰ２が配設されている。サーマルプリンタ装置Ｐ１，Ｐ２の後方側上部には顧客に対して商品金額や数、会計結果等を表示させる表示装置５が配設されている。なお、表示装置４，５としては、液晶表示装置等を適用することができる。
【００３０】
また、筐体１には、商品に添付のバーコードを読み取って商品の種別や価格等の情報を取り込むバーコードリーダ６が接続されている。さらに、筐体１内には、各装置の制御を司る制御部や、各装置に電源を供給する電源回路等が収納されている。
【００３１】
なお、図示は省略するが、ＰＯＳ端末装置Ａは、ネットワーク回線を介して店内あるいは外部に設置されるホストコンピュータと接続され、各種データの送受信を行うように構成されている。また、図中、符号１ａ，１ｂは、筐体１のプリンタ装置収納部の蓋部材を示す。
【００３２】
次に、図２を参照して、サーマルプリンタ装置Ｐ１の構成について説明する。
【００３３】
サーマルプリンタ装置Ｐ１は、感熱性粘着シートＬの搬送方向（図上は左方向）に、印刷ユニット３００、カッターユニット４００、熱活性粘着化装置としての熱活性ユニット５００がそれぞれ配設されて構成されている。印刷ユニット３００の近傍には、長尺の感熱性粘着シートＬを巻回した感熱性粘着シートのロールＲが配設されている。
【００３４】
印刷ユニット３００は、印刷用サーマルヘッド３０１と、該印刷用サーマルヘッド３０１に圧接されるプラテンローラ３０２と、プラテンローラ３０２を回転させる図示しない駆動系（例えばシート搬送モータＭ１とギア列等）を備えている。そして、図２においてプラテンローラ３０２を時計回りに回動させることにより、ロールＲから感熱性粘着シートＬを引き出し、引き出された感熱性粘着シートＬに感熱方式の印刷を行ってから、左側方向へ搬出するようになっている。
【００３５】
また、印刷用サーマルヘッド３０１は、図示しない加圧手段（例えば、コイルバネや板バネ等）を備え、その弾撥力により印刷用サーマルヘッド３０１の表面がプラテンローラ３０２に圧接されるようになっている。
【００３６】
印刷用サーマルヘッド３０１の発熱素子（図示せず）は、ドット印刷が可能なようにヘッドの幅方向に並設された複数の比較的小さな抵抗体で構成されている。一方、後述する熱活性用サーマルヘッド５０１の電気的発熱源としての発熱素子は、印刷用のようにドット単位で分割されている必要はなく、レーザープリンタ等に用いられる熱バーのように連続した抵抗体としてもよい。また、サーマルヘッドや熱バーに代えて、レーザープリンタ等に用いられる円柱状の抵抗体を回動させる熱ロールを採用することも可能である。
【００３７】
なお、印刷用サーマルヘッド３０１と熱活性用サーマルヘッド５０１とに同じ構成のものを用いることにより部品を共通化してコストの低廉化を図ることもできる。
【００３８】
ここで、本実施形態で用いた感熱性粘着シートＬは特に制限されないが、例えばラベル状基材の表面側に断熱層および感熱性発色剤層（印刷が可能な層）が形成され、裏面側に感熱性粘着剤が塗布乾燥されてなる感熱性粘着剤層が形成された構造を有している。なお、感熱性粘着剤層は、熱可塑性樹脂、固体可塑性樹脂等を主成分とする感熱性粘着剤からなる。また、感熱性粘着シートＬは、前記断熱層を有しないものや、感熱性発色剤層の表面に保護層または有色印刷層（予め印刷されている層）が設けられているものでもよい。
【００３９】
そして、後述する制御装置Ｃからの印刷信号に基づいて、印刷用サーマルヘッド３０１および印刷用プラテンローラ３０２（シート搬送モータＭ１）が駆動されることにより感熱性粘着シートＬの感熱性発色剤層（感熱印刷面）に対して所望の印刷を行うことができる。
【００４０】
カッターユニット４００は、印刷ユニット３００によって印刷処理が行われた感熱性粘着シートＬを適当な長さで切断するためのものであり、電動モータ（カッター駆動モータＭ３）等の駆動源によって作動される可動刃４０１、固定刃４０２等から構成されている。なお、可動刃４０１のカッター駆動部は後述する制御装置Ｃの制御により所定のタイミングで作動されるようになっている。カッターユニット４００の後段には搬送されてきた感熱性粘着シートＬの排出用ローラ６０１が配設されている。
【００４１】
熱活性ユニット５００は、例えば図示しない駆動源（シート搬送モータＭ２）によって回動され、印刷ユニット３００から搬送されてきた感熱性粘着シートＬの挿入、排出を行う挿入用ローラ６０２と排出用ローラ６０３を備え、その挿入用ローラ６０２と排出用ローラ６０３の間に、熱活性用サーマルヘッド５０１と、この熱活性用サーマルヘッド５０１に圧接される熱活性用プラテンローラ５０２が配設されている。
【００４２】
熱活性用プラテンローラ５０２は、駆動系（例えばシート搬送モータＭ２とギア列等）を備えており、熱活性用プラテンローラ５０２を反時計回りに回動させ、挿入用ローラ６０２および排出用ローラ６０３によって感熱性粘着シートＬを左側方向へ搬送するようになっている。なお、熱活性用プラテンローラ５０２は、例えば硬質ゴム等で構成される。
【００４３】
また、感熱性粘着シートＬの有無を検出するセンサＳ１〜Ｓ３が、感熱性粘着シートのロールＲと印刷ユニット３００との間、挿入用ローラ６０２と熱活性用プラテンローラ５０２との間、排出用ローラ６０３の後段にそれぞれ配設されている。
【００４４】
ここで、サーマルプリンタ装置Ｐ１の制御装置Ｃは、図３に示すように、制御部を統括するＣＰＵ１０００と、ＣＰＵ１０００によって実行される制御プログラム等を格納するＲＯＭ１００１と、制御実行上のデータ等を格納するＲＡＭ１００２とから構成されている。制御装置Ｃは、インタフェース１００４を介して各種の装置と接続されている。
【００４５】
インタフェース１００４には、サーマルプリンタ装置Ｐ１、ジャーナル出力用サーマルプリンタＰ２、印刷用サーマルヘッド３０１の作動タイミングを制御する１または２以上の印刷フォーマットと、熱活性用サーマルヘッド５０１の作動タイミングを制御する１または２以上の熱活性フォーマットとを格納した発行用フォーマット格納手段としてのデータ格納メモリ１００３、金銭格納部２、キーボード３、表示装置４，５、バーコードリーダ６等が接続されている。
【００４６】
サーマルプリンタ装置Ｐ１の印刷ユニット３００は、印刷用サーマルヘッド駆動回路１００５および搬送モータ駆動回路１００６を介してインタフェース１００４に接続されている。サーマルプリンタ装置Ｐ１のカッターユニット４００は、カッター駆動回路１００９を介してインタフェース１００４に接続されている。
【００４７】
また、サーマルプリンタ装置Ｐ１の熱活性ユニット５００は、熱活性用サーマルヘッド駆動回路１００７および搬送モータ駆動回路１００８を介してインタフェース１００４に接続されている。シート検知センサＳ１，Ｓ２およびシート排出検知センサＳ３は、センサ入力回路１０１０を介してインタフェース１００４に接続されている。
【００４８】
ここで、上記構成のサーマルプリンタ装置Ｐ１で実行される発行処理の処理手順について、図４のフローチャートを参照して説明する。
【００４９】
発行処理が開始されると、まずステップＳ１で発行モードの選択が行われる。ここで、本実施形態における印刷モードとしては、例えば「通常のレシート発行モード」、「ラベル式レシート発行モード」、「広告用ラベル発行モード」の３種類が用意される。この印刷モードの選択は、キーボード３に配列されるモード選択キー等の操作によって行われる。
【００５０】
次いで、ステップＳ２に移行して、「広告用ラベル発行モード」であるか否かが判定される。判定結果が”Ｎｏ”である場合には、ステップＳ３に移行して、レジに持ち込まれた商品の会計入力を行う。なお、この会計入力は、商品に添付されているバーコードをバーコードリーダ６で読み込むか、あるいはキーボード３上から手入力される。
【００５１】
次に、ステップＳ４で入力された商品の小計計算が行われ、ステップＳ５で顧客から受け取った預り金の金額の入力を行う。次いで、ステップＳ６で預り金と小計との差を求める会計処理を行い、ステップＳ７で金銭格納部２の開放を行う。
【００５２】
次に、ステップＳ８に移行して、「通常のレシート発行モード」であるか否かの判定が行われ、”Ｙｅｓ”の場合にはステップＳ９に進んで、熱活性粘着化処理を行わない通常のレシート印刷処理が実行されてリターンする。
【００５３】
これにより、図５の（Ａ）に示すように、感熱性粘着シートＬの表面にロゴマークや店名、店舗の電話番号、会計結果等が印刷され、裏面の全体が非粘着状態の通常のレシートが発行される。
【００５４】
また、上記ステップＳ８で、”Ｎｏ”と判定された場合にはステップＳ１０に移行して、データ格納メモリ１００３から所定の熱活性フォーマットを読み出して、ステップＳ１１に移行し、レシートの印刷処理および熱活性フォーマットに従った熱活性粘着化処理が実行される。
【００５５】
これにより、図５の（Ｂ）に示すように、感熱性粘着シートＬの表面に店舗のロゴマークや店名、店舗の電話番号、会計結果等が印刷されると共に、裏面の一部（本実施形態では、店舗のロゴマークに対応する位置）が熱活性粘着化されて粘着力を生じた状態のレシートが発行される。
【００５６】
この粘着力を有するレシートの利用方法としては、家計簿等に貼付して保管性を高めたり、或いは店舗のロゴマークの近傍位置に切り取り線を入れて、ロゴマークの部分Ｌ１を切り離して購入済み商品に貼付することにより、従来の購入済みを示すシールの代替品とすることが考えられる。
【００５７】
一方、上記ステップＳ２で、「広告用ラベル発行モード」であると判定された場合には、ステップＳ１９に移行して、データ格納メモリ１００３から所定の印刷フォーマットおよび熱活性フォーマットを読み出して、ステップＳ２０に移行する。ステップＳ２０では、読み出した印刷フォーマットおよび熱活性フォーマットに基づいたレイアウトを表示装置４に表示させる。
【００５８】
次のステップＳ２１では、印刷する文言等をキーボード３から入力してからステップＳ２２に移行し、レイアウト表示を確認して印刷範囲および熱活性粘着化範囲を適宜編集してステップＳ２３に移行する。ステップＳ２３では、ラベルの印刷処理および熱活性粘着化処理を実行してリターンする。
【００５９】
これにより、例えば図６の（Ａ）に示すように、表面に商品の特価セールを示す内容を印刷し、裏面の全面が熱活性粘着化されて粘着力を生じた状態のラベルを発行することができる。このラベルは、該当する商品に貼付して使用する。
【００６０】
また、図６の（Ｂ）に示すように、表面に商品の宣伝文を印刷し、裏面の全面が熱活性粘着化されて粘着力を生じた状態のラベルを発行することもでき、このラベルを店舗の壁やウィンドウ等に貼付して使用することもできる。
【００６１】
また、図７に示すように、広告内容に代えて従業員向けの業務説明文を表面に印刷し、裏面の一部を熱活性粘着化させて粘着力を生じさせたラベルを発行することもでき、このラベルを従業員が見やすい位置に貼付して使用することができる。
【００６２】
このように、本実施形態に係るＰＯＳ端末装置Ａによれば、通常のレシートの発行に加えて、裏面の全面または一部に粘着力を生じさせて貼付可能なレシートや各種広告文等を表面に印刷し、裏面の全面または一部を熱活性粘着化させて粘着力を生じさせたラベルを容易に発行することができる。特に、通常のレシート発行時と、各種ラベルの発行時とにおいて、印刷用紙を入れ換える必要がなく、感熱性粘着シートのロールＲを併用することができるので、従業員の作業負担を増加させることなく、ラベル発行機能を付加することができる。
【００６３】
また、ＰＯＳ端末装置Ａに搭載されるラベルを発行可能なサーマルプリンタ装置Ｐ１は、通常の感熱式のプリンタ装置と殆ど体積が変わらないので、装置全体を大型化させることなくラベル発行機能を付加することができる。
【００６４】
なお、ジャーナル発行用のサーマルプリンタ装置Ｐ２としては、サーマルプリンタ装置Ｐ１と同等のものを採用してもよいし、ラベル発行機能が不要な場合には、通常の感熱式のプリンタ装置を搭載してもよい。  
【００６５】
また、本実施形態に係るＰＯＳ端末装置Ａからホストコンピュータとの接続機能などのＰＯＳ機能を省略して、ラベル発行機能を備えた電子式キャッシュレジスタ装置として実施することもできる。
【００６６】
以上本発明者によってなされた発明を実施形態に基づき具体的に説明したが、本発明は上記実施例に限定されるものではなく、その要旨を逸脱しない範囲で種々変更可能である。
【００６７】
例えば、上記実施形態に係るＰＯＳ端末装置Ａに、乱数発生手段を付加すると共に、その乱数に対応したバーコード生成手段および抽選手段を付加するようにしてもよい。これにより、例えば図８に示すように、表面に「プレゼントが当たる」などの広告文と共に上記乱数に対応したバーコードを印刷し、裏面の一部に粘着力を生じさせたラベルを発行することができる。そして、このラベルを所定の商品に貼付し、顧客がその商品を買い上げた際に、バーコードリーダ６で上記バーコードを読み取り、所定の当り確率に設定された抽選手段によって「当り」が抽選された場合に所定の賞品を顧客に進呈するようなサービスに利用することができる。
【００６８】
また、上記実施形態に係るＰＯＳ端末装置Ａに、顧客情報（氏名，住所，郵便番号，電話番号等）を記憶させるデータベース手段を付加するようにしてもよい。これにより、例えば図９に示すように、表面に所定の顧客の郵便番号、住所、氏名を印刷し、裏面の全面を熱活性粘着化により粘着力を生じさせたラベルを発行することができる。このラベルは、ダイレクトメール用の封筒に貼付して使用することができる。
【００６９】
また、上記実施形態に係るＰＯＳ端末装置Ａに顧客情報（氏名，住所，郵便番号，電話番号等）や管理番号を記憶させるデータベース手段を付加すると共に、例えば図１０の（Ａ）に示すように預り引換票Ｌ２として店名、管理番号、顧客情報等を、商品貼付票Ｌ３として管理番号、顧客情報、料金等を一連に印刷可能な印刷フォーマットと、図１０の（Ｂ）に示すように、預り引換票Ｌ２に相当する部位の裏面の全体は非粘着とし、商品貼付票Ｌ３に相当する部位の一部（図１０（Ｂ）では略半分の領域）を粘着化させる熱活性フォーマットを用意してデータ格納メモリ１００３に格納して、図１０に示すようなラベルを発行させることもできる。
【００７０】
このようなラベルは、例えばクリーニング店や各種修理店などの商品の一時預かりを行う店舗において、預り引換票Ｌ２と商品貼付票Ｌ３を一連に発行し、切取線Ｋで預り引換票Ｌ２と商品貼付票Ｌ３を切り離し、預り引換票Ｌ２を顧客に渡すと共に、裏面の一部に粘着力を生じている商品貼付票Ｌ３を該当商品に貼付して利用することができ、一連の預り作業を効率良く行うことが可能となる。
【図面の簡単な説明】
【００７１】
【図１】実施形態に係るＰＯＳ端末装置の外観を示す斜視図である。
【図２】実施形態に係るＰＯＳ端末装置に搭載されるサーマルプリンタ装置の概略構成を示す構成図である。
【図３】サーマルプリンタ装置の制御ブロック図である。
【図４】実施形態に係るＰＯＳ端末装置によって実行される発行処理の処理手順を示すフローチャートである。
【図５】レシートの発行例を示す説明図である。
【図６】ラベルの発行例を示す説明図である。
【図７】その他のラベルの発行例を示す説明図である。
【図８】その他のラベルの発行例を示す説明図である。
【図９】その他のラベルの発行例を示す説明図である。
【図１０】預り引換票と商品貼付票の発行例を示す説明図である。
【符号の説明】
【００７２】
Ａ    ＰＯＳ端末装置（会計処理装置）
Ｐ１  サーマルプリンタ装置
Ｐ２  ジャーナル印刷用サーマルプリンタ装置
Ｒ    ロール状の感熱性粘着シート
Ｌ    感熱性粘着シート
１    筐体
２    ドロア（金銭格納部）
３    キーボード
４，５  表示装置
６      バーコードリーダ
３００  印刷ユニット
３０１  印刷用サーマルヘッド
３０２  印刷用プラテンローラ
４００  カッターユニット
４０１  可動刃
４０２  固定刃
５００  熱活性ユニット
５０１  熱活性用サーマルヘッド
５０２  熱活性用プラテンローラ
Ｓ１，Ｓ２，Ｓ３  感熱性粘着シートの検出センサ
Ｃ  制御装置
１０００  ＣＰＵ
１００１    ＲＯＭ
１００２    ＲＡＭ
１００３    データ格納メモリ
１００４    インタフェース
Ｍ１，Ｍ２  シート搬送モータ
【図１】
2005128725.tif 000003
【図２】
2005128725.tif 000004
【図３】
2005128725.tif 000005
【図４】
2005128725.tif 000006
【図５】
2005128725.tif 000007
【図６】
2005128725.tif 000008
【図７】
2005128725.tif 000009
【図８】
2005128725.tif 000010
【図９】
2005128725.tif 000011
【図１０】
2005128725.tif 000012